(57)【要約】  【課題】  開閉蓋の位置によらず、表示部を傷つけない撮像装置を提供すること。  【解決手段】  開閉蓋が回動して開いた状態の開き角度をα、開閉蓋と表示部が接触した際の表示部の開き角度をβとした場合に、α−βを所定角以下にし、さらに開閉蓋を２色成形で形成し、先端を弾性部材で構成することで、開閉蓋の位置によらず、表示部を傷つけない撮像装置を提供することができる。【選択図】  図４
2013105019.tif 000002
【特許請求の範囲】
【請求項１】
開閉可能な表示部と可搬式の記録メディアを装着可能な記録部と回動する蓋を有する撮像装置において、
前記蓋の回動軸は前記表示部の開閉軸と平行であり、前記蓋が回動して開いた状態の開き角度をα、開閉蓋と表示部が接触した際の表示部の開き角度をβとした場合に、α−βが所定角以下であり、
かつ、前記蓋は２色成形で構成されており、少なくとも表示部との当接部が弾性部材で構成されていることを特徴とする撮像装置。
【請求項２】
前記所定角α−βは、α−β＜９０°の関係が成り立つことを特徴とする請求項１に記載の撮像装置。
【請求項３】
前記蓋の稜線には面取り形状が施されていることを特徴とする請求項１に記載の撮像装置。
【請求項４】
前記蓋の開き角度を決定する開き当接部を有し、前記開き当接部は剛性部材で構成されていることを特徴とする請求項１に記載の撮像装置。
【請求項５】
前記記録メディアは前記蓋の開き角度と同一を成す角度に配設されていることを特徴とする請求項１に記載の撮像装置。
【発明の詳細な説明】
【技術分野】
【０００１】
本発明は開閉蓋を有する撮像装置に関するものである。
【背景技術】
【０００２】
近年、デジタルビデオやデジタルカメラなどの撮像装置においては、ヒンジ機構を有し開閉する表示部を有する場合は、表示部を収納する際、表示部に接触部品がないよう配慮して設計が行われなければならない。これは表示部へ接触することにより表示部に傷が発生することを防ぐためである。ここで、記録メディアや接続端子をゴミや埃から守る開閉蓋を開状態にした際に表示部に接触する位置へ開閉蓋を配置する際、表示部へ傷がつかないよう注意して設計することが求められている。
【０００３】
（図６の説明）
図６は従来の撮像装置の開閉蓋が開状態で表示部を収納した外観図である。ここで、２００は撮像装置、１１０は開閉蓋、１１１は表示部、１１１ａは液晶パネル、１１１ｂは筐体外縁である。図６で示した通り、開閉蓋１１０を開状態で表示部１１１を収納した際、開閉蓋１１０は筐体外縁１１１ｂに接触している。
【０００４】
また、以下に示す特許文献１には、表示部が回転した際、ディスクカバーと筐体外縁が接触する例が示されている。
【先行技術文献】
【特許文献】
【０００５】
【特許文献１】特開２００７−８００１１号公報
【発明の概要】
【発明が解決しようとする課題】
【０００６】
しかしながら、図６で示した従来の撮像装置においては、開閉蓋１１０が開状態では液晶パネル１１１ａが傷つくことはないが、筐体外縁１１１ｂは傷つき、また、撮像装置本体の小型化により、開閉蓋１１０が筐体外縁１１１ｂに接触する位置に配置不可能となり、液晶パネル１１１ａに接触する位置に配置せざるを得ないこともありえる。
【０００７】
よって本発明の目的は、開閉蓋の位置によらず、表示部を傷つけない撮像装置を提供することにある。
【課題を解決するための手段】
【０００８】
本発明の撮像装置は、開閉可能な表示部と可搬式の記録メディアを装着可能な記録部と回動する蓋を有する撮像装置において、
前記蓋の回動軸は前記表示部の開閉軸と平行であり、前記蓋が回動して開いた状態の開き角度をα、開閉蓋と表示部が接触した際の表示部の開き角度をβとした場合に、α−βが所定角以下であり、
かつ、前記蓋は２色成形で構成されており、少なくとも表示部との当接部が弾性部材で構成されていることを特徴としている。
【０００９】
また、本発明の他の特徴とするところは、前記所定角α−βは、α−β＜９０°の関係が成り立つことを特徴としている。
【００１０】
また、本発明の他の特徴とするところは、前記蓋の稜線には面取り形状が施されていることを特徴としている。
【００１１】
また、本発明の他の特徴とするところは、前記蓋の開き角度を決定する開き当接部は剛性部材で構成されていることを特徴としている。
【００１２】
また、本発明の他の特徴とするところは、前記記録メディアは前記蓋の開き角度と略同一を成す角度に配設されていることを特徴としている。
【発明の効果】
【００１３】
以上説明したように、開閉蓋が回動して開いた状態の開き角度をα、開閉蓋と表示部が接触した際の表示部の開き角度をβとした場合に、α−βを所定角以下にし、さらに開閉蓋を２色成形で形成し、先端を弾性部材で構成することで、開閉蓋の位置によらず、表示部を傷つけない撮像装置の提供が可能である。
【図面の簡単な説明】
【００１４】
【図１】本発明の実施例に係る撮像装置の内部構成を示すブロック図である。
【図２ａ】本発明の実施例に係る撮像装置の表示部が開いた状態で開閉蓋が閉状態の外観を説明する図である。
【図２ｂ】本発明の実施例に係る撮像装置の表示部が開いた状態で開閉蓋が開状態の外観を説明する図である。
【図３ａ】本発明の実施例に係る撮像装置の開閉蓋が閉状態の断面を説明する図である。
【図３ｂ】本発明の実施例に係る撮像装置の開閉蓋が開状態の断面を説明する図である。
【図４】本発明の実施例に係る撮像装置の開閉蓋が開いた状態で表示部を収納した際の外観を説明する図である。
【図５ａ】本発明の実施例に係る撮像装置の開閉蓋の外観を説明する斜視図である。
【図５ｂ】本発明の実施例に係る撮像装置の開閉蓋の外観を説明する別の斜視図である。
【図５ｃ】本発明の実施例に係る撮像装置の開閉蓋の２色成形の構成を説明する分解図である。
【図６】従来の撮像装置の開閉蓋が開状態で表示部を収納した外観図である。
【発明を実施するための形態】
【００１５】
以下、本発明の実施の形態について、図面を参照しながら説明する。
【００１６】
（図１の説明）
図１は本発明の実施例に係る撮像装置の内部構成を示すブロック図である。図１に示すように、撮像装置１００は、レンズ２１、撮像素子２２、カメラ信号処理部２３、モニタ２４、記録メディア１５、電源回路２６、電池１０、制御マイコン２８、操作キー２９を備える。撮像装置の原理としては、レンズ２１を通ってきた光が撮像素子２２によって電気信号に変えられ、カメラ信号処理部２３によってデジタル処理される。そして像を記録メディア１５に記録し、モニタ２４に表示する構成となっている。また、撮影者はモニタ２４に表示される像を確認しつつ操作キー２９を操作する。この操作キー２９の操作内容を示すデータは、制御マイコン２８により具体的な処理内容を示すコマンドにブレークダウンされた後、各部に供給される。
【００１７】
（図２ａの説明）
図２ａは本発明の実施例に係る撮像装置の表示部が開いた状態で開閉蓋が閉状態の外観を説明する図である。図２ａに示す通り、撮像装置１００は表示部１１を有し、表示部１１を収納した際に表示部１１が接触する収納面１４に開閉蓋１２が設けられている。
【００１８】
（図２ｂの説明）
図２ｂは本発明の実施例に係る撮像装置の表示部が開いた状態で開閉蓋が開状態の外観を説明する図である。図２ｂに示す通り、撮像装置１００は記録メディア１５を有し、開閉蓋１２は記録メディア１５へのゴミや埃の侵入を防ぐ役割を果たしている。なお、蓋の開閉機構に関しては後述するが、蓋の回動軸は表示部の開閉軸と平行である。
【００１９】
（図３ａ、図３ｂの説明）
図３ａは本発明の実施例に係る撮像装置の開閉蓋が閉状態の断面を説明する図であり、図３ｂは本発明の実施例に係る撮像装置の開閉蓋が開状態の断面を説明する図である。開閉蓋１２は回転中心１２ａを有し、回転中心１２ａを中心に回転することで蓋の開閉を行うことができる。また開閉蓋１２は開当接部１２ｂを有し、開状態の際は開当接部１２ｂが撮像装置本体に設けられたストッパー１６に当接することで蓋の開動作が止まり規制される。この時の開閉蓋の開き角度をαとするが、開き角度αに関しては後述する。
【００２０】
また、本撮像装置１００の記録メディア１５は開閉蓋の開き角度αとほぼ同一角度α´に配設されており、開閉蓋１２が開状態においては記録メディア１５を挿入する際に開閉蓋１２が挿入方向を示す役割となり、記録メディア１５の挿入の操作性が向上する。
【００２１】
（図４の説明）
図４は本発明の実施例に係る撮像装置の開閉蓋が開いた状態で表示部を収納した際の外観を説明する図である。
【００２２】
ここで、１００は撮像装置、１１は表示部、１２は開閉蓋である。
【００２３】
図４に示すように、撮像装置１００の開閉蓋１２が開いた状態で表示部１１を収納すると開閉蓋１２と表示部１１が接触する。ここで、図４で示した通り、開閉蓋１２の開き角度をα、開閉蓋１２と表示部１１が接触した際の表示部の開き角度をβ、開閉蓋１２と表示部１１の成す角をγとする。開閉蓋１２が開いた状態で、
γ＜９０°・・・（１）
に設定することで、表示部１１を収納すると、表示部１１が開閉蓋１２を閉じる方向へ押すこととなり、ほとんど抵抗なく開閉蓋１２は閉じられることとなる。なお、本実施例ではγを約６５°に設定している。ここで三角形の外角の定理より
γ＝α−β・・・（２）
が成り立つので、（１）、（２）より以下の式が成り立つ。
【００２４】
α−β＜９０°
この場合、前述した通り、開閉蓋１２が開いた状態で表示部１１を収納すると、表示部１１が開閉蓋１２を閉じる方向へ押すこととなり、ほとんど抵抗なく開閉蓋１２は閉じられる。よって開閉蓋１２が開いた状態で表示部１１を収納しても開閉蓋１２により表示部１１が傷つけられることなく、表示部１１への傷防止となる。なお、本実施例ではα＝約７０°、β＝約５°に設定している。
【００２５】
（図５ａ、図５ｂ、図５ｃの説明）
図５ａは本発明の実施例に係る撮像装置の開閉蓋の外観を説明する斜視図であり、図５ｂは本発明の実施例に係る撮像装置の開閉蓋の外観を説明する別の斜視図であり、図５ｃは本発明の実施例に係る撮像装置の開閉蓋の２色成形の構成を説明する分解図である。
【００２６】
ここで、１２は開閉蓋、１２ｂは開当接部、１２ｃは表示部当接部、１２ｄは回転軸１、１２ｅは不図示の検出スイッチ当接部、１２ｆはクリック爪部、１２ｇは不図示の反転バネ当接部、１２ｈは回転軸２、１２Ａは弾性部材で構成される弾性部、１２Ｂは剛性部材で構成される剛性部である。
【００２７】
図５ａ、図５ｂに示すように、表示部当接部１２ｃには面取りが施されている。これにより、図４に示した通り、表示部１１が表示当接部１２ｃに当接した際、表示部１１へ応力が分散され、表示部１１に傷がつきにくくなる。
【００２８】
また、図５ｃで示した通り、本発明の実施例に係る撮像装置の開閉蓋１２は、弾性部１２Ａと剛性部１２Ｂを有する２色成形で形成されている。ここで、表示部当接部１２ｃは弾性部材で形成されているので、開閉蓋１２が開いた状態で表示部１１を収納しても表示部当接部１２ｃにより表示部１１が傷つけられることなく、表示部１１への傷防止となる。
【００２９】
図３ｂで示した通り、開当接部１２ｂが撮像装置本体に設けられたストッパー１６に当接することで蓋の開動作が止まり開閉蓋１２の開き角度が決定する。ここで、本発明の実施例に係る撮像装置の開閉蓋１２に関しては、図５ｃで示した通り、開当接部１２ｂは剛性部材で形成されているので、開閉蓋１２の開き角度は変動することなく固定され、開閉蓋１２が開いた状態で表示部１１を収納する際、確実に開閉蓋１２が閉じられることとなる。
【符号の説明】
【００３０】
１００‥‥撮像装置
１０‥‥電池
１１‥‥表示部
１２‥‥開閉蓋
１２ａ・・・・回転中心
１２ｂ・・・・開当接部
１２ｃ・・・・表示部当接部
１２ｄ・・・・回転軸１
１２ｅ・・・・検出スイッチ当接部
１２ｆ・・・・クリック爪部
１２ｇ・・・・反転バネ当接部
１２ｈ・・・・回転軸２
１２Ａ・・・・弾性部
１２Ｂ・・・・剛性部
１４・・・・収納面
１５・・・・記録メディア
１６・・・・ストッパー
２１・・・・レンズ
２２・・・・撮像素子
２３・・・・カメラ信号処理部
２４・・・・モニタ
２６・・・・電源
２８・・・・制御マイコン
２９・・・・操作キー
２００‥‥撮像装置
１１０‥‥開閉蓋
１１１‥‥表示部
１１１ａ・・・・液晶パネル
１１１ｂ・・・・筐体外縁
【図１】
2013105019.tif 000003
【図２ａ】
2013105019.tif 000004
【図２ｂ】
2013105019.tif 000005
【図３ａ】
2013105019.tif 000006
【図３ｂ】
2013105019.tif 000007
【図４】
2013105019.tif 000008
【図５ａ】
2013105019.tif 000009
【図５ｂ】
2013105019.tif 000010
【図５ｃ】
2013105019.tif 000011
【図６】
2013105019.tif 000012